(57)【要約】【課題】一対の間仕切りパネルの相互における展開方向を左右２方向とすることができると共に折り曲げ角度を大きく採れるようにして形状の異なるブースを数多く形成できるようにすることである。【解決手段】２枚の間仕切りパネルＰ１、Ｐ２をパネル面が前後で重なるようにして対向配置し、それぞれの間仕切りパネルＰ１、Ｐ２における上枠１２および下枠１３にガイド溝３０を設け、間仕切りパネルＰ１のガイド溝３０に摺動子３２をスライド自在に組込み、その摺動子３２に他方の間仕切りパネルＰ２における上枠１２および下枠１３と上下で対向するよう配置された帯板状スライドプレート３３の長さ方向中央部を連結する。スライドプレート３３のそれぞれに両端方向に長く延びる長孔３４を設け、前記他方の間仕切りパネルＰ２における一方の縦枠１１の上下端にスライドプレート３３の長孔３４にスライド自在に挿入されるガイドピン３５を突設して２枚の間仕切りパネルＰ１、Ｐ２を相対的にスライド自在に連結する。【選択図】図４
2014218776.tif 000002
【特許請求の範囲】
【請求項１】
一対の縦枠、その一対の縦枠の上部間および下部間に渡された上枠および下枠を外周に有する２枚の間仕切りパネルをパネル面が前後で重なるようにして対向配置し、それぞれの間仕切りパネルにおける上枠の上面および下枠の下面に両端方向に長く延びるガイド溝を設け、前記一方の間仕切りパネルにおける上枠のガイド溝および下枠のガイド溝のそれぞれ内部に摺動子をスライド自在に組込み、その摺動子のそれぞれに他方の間仕切りパネルにおける上枠および下枠と上下で対向するよう配置された帯板状スライドプレートの長さ方向中央部を連結し、前記上枠の上側に対向配置された上部スライドプレートおよび前記下枠の下側に対向配置された下部スライドプレートのそれぞれに両端方向に長く延びる長孔を設け、前記他方の間仕切りパネルにおける一方の縦枠の上下端に上部スライドプレートの長孔および下部スライドプレートの長孔のそれぞれにスライド自在に挿入される円形のガイドピンを突設して２枚の間仕切りパネルを相対的にスライド自在に、かつ、ガイドピンを中心に回転自在に連結した間仕切りパネルの接続装置。
【請求項２】
前記摺動子が組み込まれたガイド溝の両端部内に、前記摺動子の押圧により収縮し、その復元弾性によって前記スライドプレートの端縁が縦枠の外側面とほぼ一致する待機位置まで復帰移動させる一対のコイルばねを組み込んだ請求項１に記載の間仕切りパネルの接続装置。
【請求項３】
請求項１又は２に記載の間仕切りパネルの接続装置によって複数の間仕切りパネルを順次連結し、前後で重なる複数の間仕切りパネルのうち一番手前に位置する間仕切りパネルにおける両側の縦枠上部に、その縦枠を床面と天井間において起立状態に保持する突張り保持機構を設け、かつ、縦枠の下端部に高さ調整用のアジャストボルトを設け、最も後ろに位置する間仕切りパネルにおける縦枠の下端部に床面に沿って転動可能なキャスタを設けた間仕切り壁。
【請求項４】
前記突張り保持機構が、前記縦枠の上部に伸縮自在に嵌合された突張り枠と、その突張り枠を伸縮調整した位置でロックするロックねじとを有してなる請求項３に記載の間仕切り壁。
【発明の詳細な説明】
【技術分野】
【０００１】
この発明は、間仕切り壁を形成する間仕切りパネルの接続装置およびその接続装置によって形成される間仕切り壁に関する。
【背景技術】
【０００２】
ブース形成用の間仕切り壁には、特許文献１に記載されたように、天井面および床面にレールを取付け、そのレールにより間仕切りパネルの上下端部を支持し、端面を突き合わせて複数の間仕切りパネルを併設して間仕切り壁とする固定式のものと、特許文献２に記載されたように、天井および床面に固定されたレールに沿って複数の間仕切りパネルを移動させ、端面を順次突き合わせて間仕切り壁を形成する移動式のものとが存在する。
【０００３】
ところで、固定式の間仕切り壁や移動式の間仕切り壁においては、レールの設置位置によって間仕切り壁の設置位置が決定されるため、間仕切り位置の変更に際しては、その都度、レールの設置位置を変更する必要が生じ、非常に手間が係る。
【０００４】
ここで、間仕切りパネルには、両側の一対の縦枠のそれぞれに突張り機能を付加した設置式のものがあり、そのような間仕切りパネルの採用においては、室内の任意の位置に間仕切りパネルを立て掛けることができるため、間仕切り位置の変更が容易であると共に、室内を任意の大きさおよび形状に簡単に間仕切ることができる。
【先行技術文献】
【特許文献】
【０００５】
【特許文献１】特開２０１３−２８９２０号公報
【特許文献２】特開２００９−１９７４０２号公報
【発明の概要】
【発明が解決しようとする課題】
【０００６】
ところで、設置式の間仕切りパネルにおいては、任意形状のブースを簡単に形成することができるものの、複数の間仕切りパネルを、隣接する間仕切りパネルの縦枠が互いに衝合するようにして順次立て掛ける必要があると共に、隣接する間仕切りパネルを互いに連結する必要があるため、間仕切り壁の形成に非常に手間がかかるという問題がある。
【０００７】
ここで、隣接する間仕切りパネルをヒンジにより連結して複数の間仕切りパネルを順次連結しておくと、パネル面が前後で重なり合うジグザグ状の小さな折り畳みとすることができると共に、その折り畳み状態で、例えば、手前の間仕切りパネルを天井面と床面間に立て掛けて固定とすることで残りの間仕切りパネルを回転によって展開することができ、間仕切り壁を容易に形成することができる。
【０００８】
しかし、ヒンジによる間仕切りパネルの連結においては、隣接する一対の間仕切りパネルの相互間における折り曲げ角度が１８０°であるため、間仕切りパネルの展開方向が一方向に限定され、初期の設置に制約を受ける。また、形状の異なるブースを数多く形成することができない。
【０００９】
この発明の課題は、一対の間仕切りパネルの相互における展開方向を左右２方向とすることができると共に、相対的な折り曲げ角度が大きく採れるようにして形状の異なるブースを数多く形成できるようにすることである。
【課題を解決するための手段】
【００１０】
上記の課題を解決するために、この発明に係る間仕切りパネルの接続装置においては、一対の縦枠、その一対の縦枠の上部間および下部間に渡された上枠および下枠を外周に有する２枚の間仕切りパネルをパネル面が前後で重なるようにして対向配置し、それぞれの間仕切りパネルにおける上枠の上面および下枠の下面に両端方向に長く延びるガイド溝を設け、前記一方の間仕切りパネルにおける上枠のガイド溝および下枠のガイド溝のそれぞれ内部に摺動子をスライド自在に組込み、その摺動子のそれぞれに他方の間仕切りパネルにおける上枠および下枠と上下で対向するよう配置された帯板状スライドプレートの長さ方向中央部を連結し、前記上枠の上側に対向配置された上部スライドプレートおよび前記下枠の下側に対向配置された下部スライドプレートのそれぞれに両端方向に長く延びる長孔を設け、前記他方の間仕切りパネルにおける一方の縦枠の上下端に上部スライドプレートの長孔および下部スライドプレートの長孔のそれぞれにスライド自在に挿入される円形のガイドピンを突設して２枚の間仕切りパネルを相対的にスライド自在に、かつ、ガイドピンを中心に回転自在に連結した構成を採用したのである。
【００１１】
上記の構成からなる間仕切りパネルの接続装置において、一方の間仕切りパネルを固定し、ガイドピンが長孔の一端に当接する状態で、そのガイドピンが長孔に沿って移動する方向に他方の間仕切りパネルを固定された間仕切りパネルに沿って平行移動させると、ガイドピンが長孔に沿ってスライドして長孔の他端に当接する。その当接状態から間仕切りパネルをさらに同方向に移動させると、スライドプレートおよび摺動子が一方の間仕切りパネルの上枠に設けたガイド溝に沿って移動し、他方の間仕切りパネルが固定とされた一方の間仕切りパネルの一側方に展開する。
【００１２】
また、他方の間仕切りパネルを一方の間仕切りパネルの一側方に展開させた状態から、その他方の間仕切りパネルを上記と逆方向に平行移動させると、その他方の間仕切りパネルは固定とされた一方の間仕切りパネルの他側方に展開し、他方の間仕切りパネルを一方の間仕切りパネルに対して左右両方向に展開させることができる。
【００１３】
ここで、縦枠の上下端に設けられてスライドプレートに形成された長孔内にスライド自在に嵌合されたガイドピンは円形であるため、他方の間仕切りパネルが一方の間仕切りパネルから側方に引き出された展開状態で、その他方の間仕切りパネルを一方の間仕切りパネルに重なる方向に１８０°回転させることができると共に、その回転方向と逆の方向には９０°回転させることができ、全体として２７０°回転させることができる。
【００１４】
この発明に係る間仕切りパネルの接続装置において、摺動子が組み込まれたガイド溝の両端部内に、摺動子の押圧により収縮し、その復元弾性によってスライドプレートの端縁が縦枠の外側面とほぼ一致する待機位置まで復帰移動させる一対のコイルばねを組み込んでおくと、一方の間仕切りパネルに他方の間仕切りパネルが前後で重なる収縮状態とすると、コイルばねが摺動子を押圧する作用によりスライドプレートの端部が縦枠の外側面とほぼ一致する待機位置まで復帰移動されて長孔の端部がガイドピンに当接する状態とされる。このため、スライドプレートの端部が縦枠の外側面から大きく飛び出して歩行の障害になるようなことはない。
【００１５】
この発明に係る間仕切りパネルの接続装置を採用して複数の間仕切りパネルを順次連結し、前後で重なる複数の間仕切りパネルのうち一番手前に位置する間仕切りパネルにおける両側の縦枠上部に、その縦枠を床面と天井間において起立状態に保持する突張り保持機構を設け、かつ、縦枠の下端部に高さ調整用のアジャストボルトを設け、最も後ろに位置する間仕切りパネルにおける縦枠の下端部に床面に沿って転動可能なキャスタを設けた間仕切り壁を形成すると、上記突張り保持機構により一番手前に位置する間仕切りパネルを床面と天井面間に立て掛けて固定した場合に、その固定の間仕切りパネルの左右両側方に残りの間仕切りパネルを展開することができる。
【００１６】
また、展開した間仕切りパネルのそれぞれを隣接する間仕切りパネルの片面に重なる方向に１８０°、逆方向に９０°回転させることができるため、形状の異なる間仕切り壁、つまり、形状の異なるブースを数多く形成することができる。
【００１７】
ここで、突張り保持機構として、縦枠の上部に伸縮自在に嵌合された突張り枠と、その突張り枠を伸縮調整した位置でロックするロックねじとを有してなるものを採用することができる。
【発明の効果】
【００１８】
この発明においては、上記のように、一対の間仕切りパネルの相互における展開方向を左右２方向とすることができると共に間仕切りパネルの相互間の折り曲げ角度を大きく採ることができるため、形状の異なるブースを数多く形成することができる。
【図面の簡単な説明】
【００１９】
【図１】この発明に係る間仕切り壁の実施の形態を示す収縮状態の正面図
【図２】図１の上部を拡大して示す正面図
【図３】図１の下部を拡大して示す断面図
【図４】図２のIV−IV線に沿った断面図
【図５】図４のV−V線に沿った断面図
【図６】図４のVI−VI線に沿った断面図
【図７】図４のVII−VII線に沿った断面図
【図８】図４のVIII−VIII線に沿った断面図
【図９】図３のIX−IX線に沿った断面図
【図１０】(ａ)は図２に示す突張り枠の収縮状態を示す断面図、(ｂ)は突張り枠の伸長状態を示す断面図、 (ｃ)は(ａ)のX−X線に沿った断面図
【図１１】間仕切り壁の形成の一例を示す正面図
【図１２】間仕切り壁の形成の他の例を示す正面図
【図１３】(ａ)は図１２の平面図、(ｂ)は(ａ)に示す右端の間仕切りパネルを上方に９０°回転させた状態の平面図、(ｃ)は(ａ)に示す右端の間仕切りパネルを下方に９０°回転させた状態の平面図
【図１４】間仕切り壁の形成の他の例を示す平面図
【図１５】間仕切り壁の形成のさらに他の例を示す平面図
【図１６】(ａ)はこの発明に係る間仕切り壁の他の実施の形態を示す収縮状態の正面図、(ｂ)は(ａ)に示す間仕切りパネルを引き出して間仕切り壁を形成した状態の平面図
【図１７】図１６(ａ)のXVII−XVII線に沿った断面図
【発明を実施するための形態】
【００２０】
以下、この発明の実施の形態を図面に基づいて説明する。図１乃至図１５は、この発明に係る間仕切り壁の第１の実施の形態を示す。この実施の形態で示す間仕切り壁Ａは、第１間仕切りパネルＰ１乃至第３間仕切りパネルＰ３の３枚の間仕切りパネルからなる。
【００２１】
図１および図４は、第１間仕切りパネルＰ１乃至第３間仕切りパネルＰ３が前後で重なる間仕切り壁Ａの収縮状態を示す。第１間仕切りパネルＰ１乃至第３間仕切りパネルＰ３のそれぞれは、図１に示すように、矩形のボード１０と、そのボード１０の両側に設けられた一対の縦枠１１、上記ボード１０の上側において縦枠１１の上部間に渡された上枠１２および上記ボード１０の下側において縦枠１１の下部間に渡された下枠１３を有している。
【００２２】
図５乃至図７に示すように、縦枠１１と上枠１２は、その交差部に取付けたコーナ金具１４によって補強されている。一方、縦枠１１と下枠１３は、図３に示すように、その交差部に取付けたコーナ金具１５によって補強されている。
【００２３】
図１に示すように、第１間仕切りパネルＰ１は、縦枠１１の下側に設けられたアジャストボルト１６と縦枠１１の上側に設けられた突張り保持機構２０とによって床面Ｆと天井面Ｒ間において起立状態に保持される。
【００２４】
図３に示すように、アジャストボルト１６は下部コーナ金具１５に設けられたねじ孔１７にねじ係合され、そのアジャストボルト１６の下端に設けられた床パッド１８が床面Ｆに接地されており、上記アジャストボルト１６の回転によって第１間仕切りパネルＰ１は高さ調整される。
【００２５】
図２および図５に示すように、突張り保持機構２０は、筒状とされた縦枠１１の上端部内に筒状の突張り枠２１を伸縮自在に挿入し、上部のコーナ金具１４に回転自在に支持されたロックねじ２２を上記突張り枠２１内に組み込まれたナット２３にねじ係合し、そのロックねじ２２の締め付けにより突張り枠２１を伸縮調整位置で固定している。
【００２６】
ここで、突張り枠２１の突張りによる縦枠１１の保持に際し、天井面Ｒに傷が付くおそれがある。その損傷を防止するため、図１０(ａ)乃至(ｃ)では、突張り枠２１の上部にコの字形のブラケット２４を取付け、そのブラケット２４によってねじ軸からなるアジャストロッド２５をスライド自在に支持し、そのアジャストロッド２５をブラケット２４内に組み込まれた弾性部材２６により上向きに付勢して、アジャストロッド２５の上端部に設けられたパッド２７で天井面Ｒを押圧している。
【００２７】
図１０(ａ)は、突張り枠２１を伸縮調整した状態でパッド２７を天井面Ｒに押し付けてアジャストロッド２５をブラケット２４内に押し込んだ状態を示している。その状態において、縦枠１１を引き下げて下側に設けられたアジャストボルト１６の床パッド１８を床面Ｆに接地させることにより、図１０(ｂ)に示すように、アジャストロッド２５がブラケット２４から突出する状態に保持され、パッド２７が弾性部材２６の弾性力によって天井面Ｒに押圧される。
【００２８】
図９に示すように、第３間仕切りパネルＰ３における一対の縦枠１１のそれぞれ下端部には床面Ｆに沿って転動可能なキャスタ２８が取付けられている。
【００２９】
図４に示すように、第１間仕切りパネルＰ１および第３間仕切りパネルＰ３における上枠１２の上面には両端方向に長く延びるガイド溝３０が形成されている。図４および図５に示すように、第１間仕切りパネルＰ１における上枠１２のガイド溝３０の両端部には一対のコイルばね３１が組み込まれている。また、ガイド溝３０には、その一対のコイルばね３１間に摺動子３２がスライド自在に組み込まれている。
【００３０】
一方、第３間仕切りパネルＰ３における上枠１２のガイド溝３０にも図７に示すように、一対のコイルばね３１とスライド可能な摺動子３２が組み込まれ、それぞれの摺動子３２に帯板状スライドプレート３３の一側縁中央部に設けられた連結片３３ａが連結されている。
【００３１】
図４に示すように、スライドプレート３３のそれぞれは第２間仕切りパネルＰ２の上枠１２上に配置されている。このスライドプレート３３の幅は第２間仕切りパネルＰ２における縦枠１１の側面幅にほぼ等しくされている。また、スライドプレート３３は、摺動子３２がコイルばね３１の端部に当接する状態で端縁が第１間仕切りパネルＰ１および第３間仕切りパネルＰ３の縦枠１１の外側面に略一致し、上記摺動子３２がコイルばね３１を収縮させる状態で端部が縦枠１１の外側面から外側方に縦枠１１の正面幅寸法以上に突出する長さとされている。
【００３２】
また、スライドプレート３３のそれぞれには両端方向に長く延びる長孔３４が形成されている。一方、第２間仕切りパネルＰ２の一対の縦枠１１のそれぞれ上端部には、図６に示すように、円形のガイドピン３５がねじ３６の締め付けにより取付けられ、そのガイドピン３５がスライドプレート３３の長孔３４内スライド自在に挿入されている。
【００３３】
上記のように、ガイド溝３０に沿ってスライド自在とされた摺動子３２にスライドプレート３３を連結し、そのスライドプレート３３に設けられた長孔３４に縦枠１１の上端に突設した円形のガイドピン３５をスライド自在に挿入することによって第１間仕切りパネルＰ１と第２間仕切りパネルＰ２の縦枠１１、および、第２間仕切りパネルＰ２と第３間仕切りパネルＰ３の縦枠１１は相対的にスライド自在に、かつ、屈曲自在に連結される。そのスライド自在および屈曲自在の連結とする連結手段Ｘは、図３および図９に示すように、第１間仕切りパネルＰ１と第２間仕切りパネルＰ２の下枠１３、および、第２間仕切りパネルＰ２と第３間仕切りパネルＰ３の下枠１３の相互間にも設けられている。
【００３４】
このとき、下枠１３の相互間に設けられた下側の連結手段Ｘは、上枠１２の相互間に設けられた上側の連結手段Ｘと上下対称とされている点で相違しているため、ここでは、下側の連結手段Ｘについては、上側の連結手段Ｘと同一部分に同一の符号を付して説明を省略する。
【００３５】
第１の実施の形態で示す間仕切り壁は上記の構造からなり、図１および図４に示すように、第１間仕切りパネルＰ１乃至第３間仕切りパネルＰ３が前後で重なる間仕切り壁Ａの収縮状態から第３間仕切りパネルＰ３を図４の右方向に移動させると、その第３間仕切りパネルＰ３が図７に示す摺動子３２に案内されて第１間仕切りパネルＰ１および第２間仕切りパネルＰ２に対して相対的に平行移動し、図１１に示すように、第１間仕切りパネルＰ１の右方向に引き出されて展開状態とされる。このとき、図７に示す摺動子３２は同図の左方向に配置されたコイルばね３１に当接して押圧し、そのコイルばね３１を圧縮変形させる。
【００３６】
上記のような第３間仕切りパネルＰ３の展開状態から、第３間仕切りパネルＰ３を上記と同方向(右方向)に移動させると、第３間仕切りパネルＰ３の縦枠１１が圧縮変形したコイルばね３１を介して摺動子３２を押圧し、その押圧によって第２間仕切りパネルＰ２が第１間仕切りパネルＰ１に対して平行移動して、第１間仕切りパネルＰ１の右方向に引き出される。
【００３７】
第２間仕切りパネルＰ２が所定量引き出されると、第２間仕切りパネルＰ２の引き出し方向の後行側の縦枠１１の上下端に設けられたガイドピン３５が第１間仕切りパネルＰ１の上枠１２および下枠１３の摺動子３２に連結されたスライドプレート３３の長孔３４に沿って移動し、図１２および図１３(ａ)に示すように、第２間仕切りパネルＰ２も第１間仕切りパネルＰ１の右方向に引き出されて展開状態とされ、平面状の間仕切り壁Ａが形成される。
【００３８】
図１３(ａ)に示す展開状態において、第３間仕切りパネルＰ３に同図の矢印イで示す方向の回転モーメントを付加すると、第３間仕切りパネルＰ３がガイドピン３５を中心にして矢印イで示す方向に回転する。
【００３９】
図１３(ｂ)は、第３間仕切りパネルＰ３を９０°回転させた状態を示し、第３間仕切りパネルＰ３の回転により平面Ｌ形の間仕切り壁が形成される。
【００４０】
また、図１３(ａ)に示す展開状態において、第３間仕切りパネルＰ３に同図の矢印ロで示す方向の回転モーメントを付加すると、第３間仕切りパネルＰ３の上枠１２および下枠１３のガイド溝３０に組み込まれた一方のコイルばね３１(図７の左側のコイルばね)が圧縮変形し、第３間仕切りパネルＰ３の左側の縦枠１１が第２間仕切りパネルＰ２の右側の縦枠１１の周囲を回り込むようにしてガイドピン３５を中心に第３間仕切りパネルＰ３が矢印ロで示す方向に回転する。
【００４１】
図１３(ｃ)は、第３間仕切りパネルＰ３を９０°回転させた状態を示し、その回転によって、図１３(ｂ)とは第３間仕切りパネルＰ３の幅方向の向きが１８０°異なる平面Ｌ形の間仕切り壁が形成される。
【００４２】
図１３(ｂ)に示すＬ形間仕切り壁の形成状態において、第２間仕切りパネルＰ２に図１３(ａ)の矢印イで示す方向の回転モーメントを付加すると、第２間仕切りパネルＰ２が図１３(ａ)の矢印イで示す方向に回転し、図１４に示すように、平面コの字形の間仕切り壁が形成される。
【００４３】
また、図１３に示す間仕切り壁の形成状態において、第２間仕切りパネルＰ２を第１間仕切りパネルＰ１に重なる方向に押し戻し、その第２間仕切りパネルＰ２を中間位置まで押し戻した状態で上方に９０°回転させることにより、平面Ｔ字形の間仕切り壁を形成することができる。そのＴ字形間仕切り壁の形成状態から第３間仕切りパネルＰ３を図１３の矢印ロ方向に９０°回転させ、その回転後に第３間仕切りパネルＰ３を第１間仕切りパネルＰ１と対向する位置まで移動することによって図１５に示すような平面形状をＨ形とする間仕切り壁を形成することができる。
【００４４】
さらに、図１３に示す展開状態から、第２間仕切りパネルＰ２を左側の縦枠１１に突設されたガイドピン３５を中心にして上方に１８０°回転させ、その回転状態において第２間仕切りパネルＰ２を第１間仕切りパネルＰ１に対して同図の左方向に平行移動させることにより、第２間仕切りパネルＰ２を第１間仕切りパネルＰ１の左方向に展開することができる。
【００４５】
第１の実施の形態に示すように、ガイド溝３０の両端部に一対のコイルばね３１を組込み、その一対のコイルばね３１間においてスライド可能な摺動子３２にスライドプレート３３を連結し、そのスライドプレート３３に形成された長孔３４に縦枠１１の端部に突設されたガイドピン３５をスライド自在に挿入する連結手段Ｘによって第１間仕切りパネルＰ１と第２間仕切りパネルＰ２、および、第２間仕切りパネルＰ２と第３間仕切りパネルＰ３を相互に連結することにより、互いに連結された一対の間仕切りパネルの相互における展開方向を左右２方向とすることができると共に間仕切りパネルの相互間の折り曲げ角度を大きく採ることができる。その結果、形状の異なるブースを数多く形成することができる。
【００４６】
第１の実施の形態においては、第１間仕切りパネルＰ１および第３間仕切りパネルＰ３の上枠１２および下枠１３にガイド溝３０を設けるようにしたが、図１７に示すように、第１間仕切りパネルＰ１乃至第３間仕切りパネルＰ３のそれぞれの上枠１２および図示省略した下枠１３のそれぞれにガイド溝３０を設け、第１間仕切りパネルＰ１および第２間仕切りパネルＰ２のガイド溝３０のそれぞれに摺動子３２を組込み、その摺動子３２のそれぞれに長さ方向の中央部が連結されたスライドプレート３３を第２間仕切りパネルＰ２および第３間仕切りパネルＰ３の上枠１２および下枠１３と対向し、そのスライドプレート３３に形成された長孔３４内にガイドピン３５を組み込んで、そのガイドピン３５をスライドプレート３３と対向する間仕切りパネルの柱部にねじ止めしてもよい。
【００４７】
この場合、隣接するスライドプレート３３の高さを相違させ、図１６(ｂ)に示すように、第２間仕切りパネルＰ２を第１間仕切りパネルＰ１に対して平行移動させて展開させる際、あるいは、第３間仕切りパネルＰ３を第２間仕切りパネルＰ２に対して平行移動させて展開させる際に、スライドプレート３３が干渉することのないようにしておく。ここで、図１６(ａ)は、第１間仕切りパネルＰ１乃至第３間仕切りパネルＰ３を収縮させた収納状態を示している。
【００４８】
図１７に示すような間仕切りパネルの連結構成とすることにより複数の間仕切りパネルを連結することができる。
【００４９】
実施の形態においては、第１間仕切りパネルＰ１の左右一対の縦枠１１の上端部にのみアジャストロッド２５を上部に有する突張り枠２１を設けたが、第３間仕切りパネルＰ３の左右一対の縦枠１１の上端部にもアジャストロッド２５を上部に有する突張り枠２１を設けるようにしてもよい。
【符号の説明】
【００５０】
Ｐ１    第１間仕切りパネル
Ｐ２    第２間仕切りパネル
Ｐ３    第３間仕切りパネル
１１  縦枠
１２  上枠
１３  下枠
１６  アジャストボルト
２０  突張り保持機構
２１  突張り枠
２２  ロックねじ
２８  キャスタ
３０  ガイド溝
３１  コイルばね
３２  摺動子
３３  スライドプレート
３４  長孔
３５  ガイドピン
【図１】
2014218776.tif 000003
【図２】
2014218776.tif 000004
【図３】
2014218776.tif 000005
【図４】
2014218776.tif 000006
【図５】
2014218776.tif 000007
【図６】
2014218776.tif 000008
【図７】
2014218776.tif 000009
【図８】
2014218776.tif 000010
【図９】
2014218776.tif 000011
【図１０】
2014218776.tif 000012
【図１１】
2014218776.tif 000013
【図１２】
2014218776.tif 000014
【図１３】
2014218776.tif 000015
【図１４】
2014218776.tif 000016
【図１５】
2014218776.tif 000017
【図１６】
2014218776.tif 000018
【図１７】
2014218776.tif 000019